(57)【要約】【課題】セッション制御を有する通信において、ユーザが接続を希望しない接続拒否端末との接続を拒否するサービスを実現可能な接続制御方法および通信システムを提供する。【解決手段】第１端末と第２端末とのセッションを制御して第１端末と第２端末との接続を制御する通信システムが行う接続制御方法は、記憶手段に、第２端末が接続を拒否する端末の識別情報を記憶する記憶ステップと、第１端末から第２端末への接続要求を受信した状況で、接続要求に記載の第１端末の識別情報が、記憶手段に記憶されている場合には、第１端末と第２端末とのセッションを確立する動作を中止するセッション制御ステップと、を含む。【選択図】図１
2010147645.tif 000002
【特許請求の範囲】
【請求項１】
第１端末と第２端末とのセッションを制御して前記第１端末と前記第２端末との接続を制御する通信システムが行う接続制御方法であって、
記憶手段に、前記第２端末が接続を拒否する端末の識別情報を記憶する記憶ステップと、
前記第１端末から前記第２端末への接続要求を受信した状況で、前記接続要求に記載の第１端末の識別情報が、前記記憶手段に記憶されている場合、前記第１端末と前記第２端末とのセッションを確立する動作を中止するセッション制御ステップと、を含む接続制御方法。
【請求項２】
請求項１に記載の接続制御方法において、
前記セッション制御ステップでは、前記第１端末から前記第２端末への接続要求を受信した状況で、前記接続要求に記載の第１端末の識別情報が、前記記憶手段に記憶されていない場合、前記第１端末と前記第２端末とのセッションを確立して、前記第１端末と前記第２端末との間の通信を許容する、接続制御方法。
【請求項３】
請求項１または２に記載の接続制御方法において、
前記第２端末とのセッションの確立を中止した中止回数をカウントするカウントステップと、
前記第２端末に、前記中止回数を通知する通知ステップと、をさらに含む、接続制御方法。
【請求項４】
請求項１または２に記載の接続制御方法において、
前記第２端末は、複数存在し、
前記記憶ステップでは、予め定められた前記第２端末のグループごとに、当該グループに対応づけて、当該グループ内の第２端末が接続を拒否する端末の識別情報を記憶し、
前記セッション制御ステップでは、前記第１端末から複数の前記第２端末のいずれかである所定端末への接続要求を受信した状況で、前記接続要求に記載の第１端末の識別情報が、前記所定端末が属するグループに対応づけられて前記記憶手段に記憶されている場合、前記第１端末と前記所定端末とのセッションを確立する動作を中止する、接続制御方法。
【請求項５】
請求項４に記載の接続制御方法において、
前記セッション制御ステップでは、前記第１端末から前記所定端末への接続要求を受信した状況で、前記接続要求に記載の第１端末の識別情報が、前記所定端末が属するグループに対応づけられて前記記憶手段に記憶されていない場合、前記第１端末と前記所定端末とのセッションを確立して、前記第１端末と前記所定端末との間の通信を許容する、接続制御方法。
【請求項６】
請求項４または５に記載の接続制御方法において、
前記グループごとに、前記セッションの確立を中止した中止回数をカウントするカウントステップと、
前記第２端末に、当該第２端末が属するグループでの前記中止回数を通知する通知ステップと、をさらに含む、接続制御方法。
【請求項７】
請求項１から６のいずれか１項に記載の接続制御方法において、
前記通信システムは、第１ネットワークに存在する制御装置と、第２ネットワークと前記制御装置とを接続するゲートウェイ装置と、を含むものであり、
前記セッション制御ステップは、前記制御装置にて実行され、
前記ゲートウェイ装置が、前記第２ネットワークに接続している前記第１端末から前記第１ネットワークに接続している前記第２端末への接続要求を受信した状況で、前記接続要求に記載の第１端末の識別情報が、前記記憶手段に記憶されている場合、前記第１端末と前記第２端末とのセッションを確立する動作を中止するセッション管理ステップを、さらに含む、接続制御方法。
【請求項８】
請求項７に記載の接続制御方法において、
前記セッション管理ステップでは、前記第２ネットワークに接続している前記第１端末から前記第１ネットワークに接続している前記第２端末への接続要求を受信した状況で、前記接続要求に記載の第１端末の識別情報が、前記記憶手段に記憶されていない場合、前記接続要求を、前記制御装置に送信する、接続制御方法。
【請求項９】
第１端末と第２端末とのセッションを制御して前記第１端末と前記第２端末との接続を制御する通信システムであって、
前記第２端末が接続を拒否する端末の識別情報を記憶する記憶手段と、
前記第１端末から前記第２端末への接続要求を受信した状況で、前記接続要求に記載の第１端末の識別情報が、前記記憶手段に記憶されている場合、前記第１端末と前記第２端末とのセッションを確立する動作を中止するセッション制御手段と、を含む通信システム。
【請求項１０】
請求項９に記載の通信システムにおいて、
前記セッション制御手段は、前記第１端末から前記第２端末への接続要求を受信した状況で、前記接続要求に記載の第１端末の識別情報が、前記記憶手段に記憶されていない場合、前記第１端末と前記第２端末とのセッションを確立して、前記第１端末と前記第２端末との間の通信を許容する、通信システム。
【請求項１１】
請求項９または１０に記載の通信システムにおいて、
前記セッション制御手段は、前記第２端末とのセッションの確立を中止した中止回数をカウントし、
前記第２端末に、前記中止回数を通知する通知手段を、さらに含む、通信システム。
【請求項１２】
請求項９または１０に記載の通信システムにおいて、
前記第２端末は、複数存在し、
前記記憶手段は、予め定められた前記第２端末のグループごとに、当該グループに対応づけて、当該グループ内の第２端末が接続を拒否する端末の識別情報を記憶し、
前記セッション制御手段は、前記第１端末から複数の前記第２端末のいずれかである所定端末への接続要求を受信した状況で、前記接続要求に記載の第１端末の識別情報が、前記所定端末が属するグループに対応づけられて前記記憶手段に記憶されている場合、前記第１端末と前記所定端末とのセッションを確立する動作を中止する、通信システム。
【請求項１３】
請求項１２に記載の通信システムにおいて、
前記セッション制御手段は、前記第１端末から前記所定端末への接続要求を受信した状況で、前記接続要求に記載の第１端末の識別情報が、前記所定端末が属するグループに対応づけられて前記記憶手段に記憶されていない場合、前記第１端末と前記所定端末とのセッションを確立して、前記第１端末と前記所定端末との間の通信を許容する、通信システム。
【請求項１４】
請求項１２または１３に記載の通信システムにおいて、
前記セッション制御手段は、前記グループごとに、前記セッションの確立を中止した中止回数をカウントし、
前記第２端末に、当該第２端末が属するグループでの前記中止回数を通知する通知手段をさらに含む、通信システム。
【請求項１５】
請求項９から１４のいずれか１項に記載の通信システムにおいて、
前記セッション制御手段は、第１ネットワークに存在し、
第２ネットワークと前記セッション制御手段とを接続し、また、前記第２ネットワークに接続している前記第１端末から、前記第１ネットワークに接続している前記第２端末への接続要求を受信した状況で、前記接続要求に記載の第１端末の識別情報が、前記記憶手段に記憶されている場合、前記第１端末と前記第２端末とのセッションを確立する動作を中止するゲートウェイ手段をさらに含む、通信システム。
【請求項１６】
請求項１５に記載の通信システムにおいて、
前記ゲートウェイ手段は、前記第２ネットワークに接続している前記第１端末から、前記第１ネットワークに接続している前記第２端末への接続要求を受信した状況で、前記接続要求に記載の第１端末の識別情報が、前記記憶手段に記憶されていない場合、前記接続要求を、前記制御装置に送信する、通信システム。
【発明の詳細な説明】
【技術分野】
【０００１】
本発明は、接続制御方法および通信システムに関し、特には、次世代ネットワーク（ＮＧＮ：Next Generation Network）においてユーザが接続を希望しない接続拒否端末との接続を拒否するサービスを提供可能な接続制御方法および通信システムに関する。
【背景技術】
【０００２】
交換機を用いた迷惑電話拒否サービスが知られている（特許文献１および２参照）。
【０００３】
以下、交換機を用いた迷惑電話拒否サービス例を説明する。
【０００４】
着信側ユーザは、着信者の電話機で迷惑電話を受けた後に、電話を切断して迷惑電話拒否サービスを実行するための登録操作を行う。この登録操作によって、迷惑電話をかけてきた電話機の電話番号（以下「発信者電話番号」と称する）が、交換機内のリストに記憶される。その後、交換機は、リストに記憶された発信者電話番号から着信者の電話機への着信に対しては、着信拒否のメッセージで応答し、迷惑電話を拒否する。
【０００５】
具体的には、発信者の電話機と、発信側加入者交換機と、共通線信号網と、着信側加入者交換機と、着信者の電話機と、を含むシステムは、以下のように動作する。
【０００６】
発信者が、発信者の電話機を操作して、相手先の電話番号、つまり、着信者の電話機の電話番号（以下「着信者電話番号」と称する）をダイヤルすると、着信者電話番号と発信者電話番号が、発信側加入者交換機から、共通線信号網を経由し、着信側加入者交換機に送信される。着信側加入者交換機は、発信者電話番号を、最終ＩＤメモリ部に記憶し、発信者の電話機を、着信者の電話機に接続する。
【０００７】
着信者は、発呼に応答することによって、発信者からの電話が迷惑電話であると判断した場合、いったん電話を切断した後、着信者の意思により、迷惑電話拒否サービスに対応する電話番号（例えば、特番「１４４」）をダイヤルし、ガイダンスを確認後、登録に対応する番号（例えば、「２」）をダイヤルして、発信者電話番号からの電話を拒否するように迷惑電話拒否サービスを実行するための登録を行う。
【０００８】
着信側加入者交換機は、迷惑電話拒否サービスを実行するための登録を受け付けると、最終ＩＤメモリ部に記憶されている発信者電話番号を、お断りリストに登録する。
【０００９】
発信者が、その後、迷惑電話をかけた電話機を操作して、着信者電話番号を発信した場合は、発信者電話番号が、共通線信号網を経由し、着信側加入者交換機に送信される。
【００１０】
着信側加入者交換機は、発信者電話番号がお断りリストに登録されているかを照合する。発信者電話番号が、お断りリストに登録されていると、着信側加入者交換機は、発信者の電話機を、着信側加入者交換機内の音声蓄積装置に接続する。音声蓄積装置は、発信者の電話機に「この電話はお受けできません。ご了承ください」と自動的に着信拒否のガイダンスを応答する。発信者は、発信者の電話機から着信拒否のガイダンスを聞いて通話を終了する。
【００１１】
また、ＩＰ（Internet Protocol）技術を利用した通信網として、ＮＧＮ（Next Generation Network）が注目されている。ＮＧＮでは、セッションがセッション管理用プロトコルを用いて管理され、データ通信がデータ通信用プロトコルを用いて管理される。
【００１２】
ＮＧＮを利用可能な音声通信技術として、ＶｏＩＰ（Voice over Internet Protocol）が知られている。ＶｏＩＰを利用した音声通信でも、セッション制御とデータ通信制御の両方が行われる。
【特許文献１】特開２００３−２６４８５７号公報
【特許文献２】特開平９−３０７６３０号公報
【発明の開示】
【発明が解決しようとする課題】
【００１３】
特許文献１および２に記載のように、迷惑電話拒否サービスを実行する交換機は、セッション制御を行わない。
【００１４】
このため、交換機を用いた迷惑電話拒否サービスを、ＶｏＩＰのようなセッション制御を含む通信技術に適用しても、セッション制御が前提となる通信技術では、迷惑電話拒否サービスを実現することが困難であった。つまり、セッション制御が前提となる通信技術において、ユーザが接続を希望しない接続拒否端末との接続を拒否するサービスを実現することが困難であった。
【００１５】
本発明の目的は、セッション制御を有する通信において、接続拒否端末との接続を拒否するサービスを実現することが可能な接続制御方法および通信システムを提供することである。
【課題を解決するための手段】
【００１６】
本発明の接続制御方法は、第１端末と第２端末とのセッションを制御して前記第１端末と前記第２端末との接続を制御する通信システムが行う接続制御方法であって、記憶手段に、前記第２端末が接続を拒否する端末の識別情報を記憶する記憶ステップと、前記第１端末から前記第２端末への接続要求を受信した状況で、前記接続要求に記載の第１端末の識別情報が、前記記憶手段に記憶されている場合、前記第１端末と前記第２端末とのセッションを確立する動作を中止するセッション制御ステップと、を含む。
【００１７】
本発明の通信システムは、第１端末と第２端末とのセッションを制御して前記第１端末と前記第２端末との接続を制御する通信システムであって、前記第２端末が接続を拒否する端末の識別情報を記憶する記憶手段と、前記第１端末から前記第２端末への接続要求を受信した状況で、前記接続要求に記載の第１端末の識別情報が、前記記憶手段に記憶されている場合、前記第１端末と前記第２端末とのセッションを確立する動作を中止するセッション制御手段と、を含む。
【発明の効果】
【００１８】
本発明によれば、セッション制御を有する通信において、接続拒否端末との接続を拒否するサービスを実現することが可能になる。
【発明を実施するための最良の形態】
【００１９】
以下、本発明を実施するための形態について図面を参照して説明する。
【００２０】
図１は、本発明の一実施形態の通信システムを示すブロック図である。
【００２１】
図１において、通信システムは、ＮＧＮ１内に存在する。ＮＧＮ１は、第１ネットワークの一例である。通信システムは、ＳＳＣ（Subscriber Session Control server：加入者セッション制御サーバ）２と、ＭＳ−Ｃ（Media Server - Custom control：カスタマー制御メディアサーバ）３と、ＭＳ−Ｇ（Media Server - Guidance：ガイダンスメディアサーバ）４と、ＮＡＴ（Network Address Transfer）５と、ＰＳＴＮ−ＧＷ（Public Switched Telephone Network - Gate Way）６と、を含む。ＳＳＣ２は、お断りリスト登録部１１と、セッション制御機能部１２と、着信拒否機能部１３と、効果確認機能部１４と、を含む。セッション制御機能部１２と着信拒否機能部１３とは、セッション制御部１５に含まれる。
【００２２】
ＰＳＴＮ−ＧＷ６は、ゲートウェイ装置の一例である。ＰＳＴＮ−ＧＷ６は、第２ネットワークであるＰＳＴＮ７を介して、電話機８と接続される。なお、第２ネットワークは、ＰＳＴＮに限らず、ＮＧＮ１と異なるネットワークであればよい。ＮＡＴ５は、ＴＡ（Terminal Adapter）１０を介して、電話機９と接続される。電話機８は、第１端末（以下「発信側端末」と称する）の一例として用いられる。電話機９は、第２端末（以下「受信側端末」と称する）の一例として用いられる。
【００２３】
なお、図１では、発信側端末として１台の電話機８、受信側端末として１台の電話機９が示されているが、発信側端末および受信側端末は、複数の電話機のいずれかでもよい。
【００２４】
ここで、通信システムの概要を説明する。
【００２５】
発信者が使用する電話機８は、ＰＳＴＮ７とＮＧＮ１とを経由し、接続を希望しない接続拒否端末との接続を拒否するサービスの一例である迷惑電話拒否サービスの契約者（以下、単に「契約者」と称する）が使用する電話機９と接続する。なお、契約者が接続を希望しない接続拒否端末との接続を拒否するサービスは、迷惑電話拒否サービスに限らず、例えば迷惑接続拒否サービスでもよい。
【００２６】
契約者が、電話機８から迷惑電話を受けた直後、電話機９を操作して、迷惑電話拒否サービスを実行するための電話番号（例えば、特番「１４４」）をダイヤルし、その後、迷惑電話拒否設定ガイダンスに従い、登録に対応する番号（例えば、「２」）をダイヤルすると、ＳＳＣ２は、電話機８の電話番号を、お断りリスト登録部１１に登録する。
【００２７】
その後、ＳＳＣ２は、お断りリスト登録部１１に登録されている電話機８の電話番号から電話機９への着信に対し、着信拒否し、お断りガイダンスを、発信者の電話機８に送出する。
【００２８】
以下の説明では、迷惑電話拒否サービスを実行するための電話番号として「１４４」を用い、登録に対応する番号として「２」を用いる。
【００２９】
なお、迷惑電話拒否サービスを実行するための電話番号は、「１４４」に限らず適宜変更可能である。また、登録に対応する番号も、「２」に限らず適宜変更可能である。
【００３０】
次に、通信システムの各構成要素について説明する。
【００３１】
ＮＧＮ１は、サービス制御層と、パケット転送層と、を有するネットワークである。ＮＧＮ１では、セッションとデータ通信とが、別々のプロトコルを用いて制御される。
【００３２】
ＳＳＣ２は、制御装置の一例である。ＳＳＣ２は、電話機８と電話機９とのセッションを制御して、電話機８と電話機９との接続および通信を制御する。
【００３３】
お断りリスト登録部１１は、記憶手段の一例である。
【００３４】
お断りリスト登録部１１は、電話機９が着信および接続を拒否する電話機の電話番号を記憶する。なお、電話機９が着信および接続を拒否する電話機の電話番号は、着信側端末が接続を拒否する端末の識別情報の一例である。また、端末の識別情報は、電話番号に限らず適宜変更可能である。
【００３５】
お断りリスト登録部１１は、予め定められた電話機のグループごとに、そのグループ内の電話機が接続を拒否する電話機の電話番号を記憶する。なお、グループに属する電話機の数は、１台でもよいし、複数台でもよい。
【００３６】
本実施形態では、グループは、迷惑電話拒否サービスの契約時に、契約者にて設定される。
【００３７】
例えば、契約者が、１つの電話番号について、接続を拒否する電話機を設定したい場合には、グループには、１台の電話機のみが含まれる。この場合、お断りリスト登録部１１は、１つの電話番号（契約者が使用する電話機の電話番号）と、接続を拒否する電話機の電話番号（発信者の電話機の電話番号）とを、互いに対応づけて記憶した、個別リストを記憶する。
【００３８】
一方、例えば、契約者が、同一の契約によって指定された複数の電話機の全てに対して、接続を拒否する電話機を設定したい場合には、グループには、その複数の電話機が含まれる。この場合、お断りリスト登録部１１は、複数の電話番号（契約者が使用する複数の電話機のそれぞれの電話番号）と、音声通信を拒否する電話機の電話番号とを、互いに対応づけて記憶した、共有リストを記憶する。
【００３９】
セッション制御部１５は、制御手段の一例である。
【００４０】
セッション制御部１５は、電話機８から電話機９への接続要求を受信した状況で、その接続要求に記載されている電話機８の電話番号が、お断りリスト登録部１１に記憶されている場合には、電話機８と電話機９とのセッションを確立する動作を中止する。
【００４１】
なお、電話機８と電話機９とのセッションを確立する動作は、電話機８から電話機９への接続要求を受信することから始まる。つまり、セッション制御部１５は、電話機８から電話機９への接続要求を受信することは許容するが、その接続要求に記載されている電話機８の電話番号が、お断りリスト登録部１１に記憶されている場合、それ以降のセッション確立動作を中止する。
【００４２】
本実施形態では、セッション制御部１５は、電話機８から電話機９（所定端末）への接続要求を受信した状況で、接続要求に記載の電話機８の電話番号が、電話機９が属するグループに対応づけられてお断りリスト登録部１１に記憶されている場合には、電話機８と電話機９とのセッションを確立する動作を中止する。
【００４３】
また、セッション制御部１５は、電話機８から電話機９への接続要求を受信した状況で、接続要求に記載の電話機８の電話番号が、お断りリスト登録部１１に記憶されていない場合には、電話機８と電話機９とのセッションを確立して、電話機８と電話機９との間の通信、具体的には、音声通信を許容する。
【００４４】
本実施形態では、セッション制御部１５は、電話機８から電話機９（所定端末）への接続要求を受信した状況で、接続要求に記載の電話機８の電話番号が、電話機９が属するグループに対応づけられてお断りリスト登録部１１に記憶されていない場合には、電話機８と電話機９とのセッションを確立して、電話機８と電話機９との間の通信、具体的には、音声通信を許容する。
【００４５】
セッション制御部１５は、電話機８と電話機９との間の通信が終了した後、電話機９から登録要求を受信すると、接続要求に記載の電話機８の電話番号を、電話機９が接続を拒否する電話機の電話番号として、お断りリスト登録部１１に記憶する。なお、本実施形態では、登録要求として、ダイヤル「１４４」とそれに続くダイヤル「２」が用いられる。
【００４６】
また、セッション制御部１５は、グループごとに、セッションの確立を中止した中止回数をカウントし、そのカウント値をグループごとに保持する。
【００４７】
セッション制御機能部１２は、電話機８と電話機９との間のセッションを制御し、また、各機能部との接続を制御する機能を有する。
【００４８】
また、セッション制御機能部１２は、電話機９から迷惑電話拒否サービスを実行するための電話番号（「１４４」）を受信し、お断りリスト登録部１１に、着信拒否する電話番号を登録する機能を有する。
【００４９】
また、セッション制御機能部１２は、お断りリスト登録部１１に登録されている電話番号を一括解除する機能と、お断りリスト登録部１１に登録されている電話番号を、登録時期が新しい順に１つずつ解除する機能と、を有している。
【００５０】
着信拒否機能部１３は、発信元の電話番号を、お断りリスト登録部１１に登録されている電話番号と照合する。発信元の電話番号がお断りリスト登録部１１に登録されているとき、着信拒否機能部１３は、グループごとに、迷惑電話拒否回数をカウントし、ＭＳ−Ｇ４に、お断りガイダンスを要求する機能を有する。
【００５１】
効果確認機能部１４は、通知手段の一例である。効果確認機能部１４は、着信拒否機能部１３にてグループごとにカウントされた迷惑電話拒否回数を確認し、ＭＳ−Ｃ３を用いて、電話機９に、電話機９が属するグループの拒否回数を通知する機能を有している。
【００５２】
ＮＡＴ５は、ＴＡ１０側のＩＰアドレスをＮＧＮ１側のＩＰアドレスに変換する。
【００５３】
ＭＳ−Ｃ３は、カスタマーに対応する登録時ガイダンス、および、解除時ガイダンス、および、効果確認ガイダンスを送出するサーバである。
【００５４】
ＭＳ−Ｇ４は、ＳＳＣ２と接続している電話機のうち、お断りリスト登録部１１に電話番号が登録されている電話機に、お断りガイダンスを送出するサーバである。
【００５５】
発信者の電話機８は、迷惑電話などを発呼する加入者電話機である。契約者の電話機９は、迷惑電話拒否サービスを契約している契約者が使用する着信側のＩＰ電話機である。
【００５６】
次に、動作を説明する。
【００５７】
発信者が、電話機８を操作して、契約者の電話機９の電話番号をダイヤルすると、電話機８は、ＰＳＴＮ７を経由して、ＰＳＴＮ−ＧＷ６に、電話機８から電話機９への接続要求を送信する。なお、このとき、お断りリスト登録部１１には、電話機８の電話番号が電話機９に対応づけて登録されていないとする。
【００５８】
ＰＳＴＮ−ＧＷ６は、電話機８から電話機９への接続要求を受信すると、ＳＳＣ２と接続するために、電話機８からの接続要求を変換し、変換後の接続要求を、ＳＳＣ２に送信する。なお、電話機８から電話機９への接続要求のヘッダには、接続要求の発信元の識別情報、つまり、電話機８の電話番号が記載されている。
【００５９】
ＳＳＣ２が、電話機８からの接続要求を着信すると、セッション制御機能部１２は、その接続要求に記載されている電話機８の電話番号を一時記憶する。
【００６０】
このとき、お断りリスト登録部１１には、電話機８の電話番号が電話機９に対応づけて登録されていないので、着信拒否機能部１３は、電話機８と電話機９とのセッションを確立する動作を中止（禁止）しない。よって、セッション制御機能部１２は、ＮＡＴ５とＴＡ１０とを経由し、契約者の電話機９に接続要求を送信する。
【００６１】
電話機９が電話機８からの接続要求に応答することで、セッション制御機能部１２は、電話機９と電話機８とのセッションを確立し、電話機８と電話機９との間の音声データなどのデータの通信を許容する。
【００６２】
契約者は、電話機９を用いて発信者と通話することによって、発信者からの電話が迷惑電話であると判断すると、迷惑電話を受けた直後に、電話機９を操作して、電話機８について迷惑電話拒否サービスを実行する旨の登録を行うことで、電話機８からの着信を拒否することができる。
【００６３】
本実施形態では、契約者が、通話終了後、電話機９の受話器をあげて「１４４」をダイヤルすると、電話機９は、ＳＳＣ２から、迷惑電話拒否設定ガイダンスを受信する。契約者は、迷惑電話拒否設定ガイダンスに従って、登録に対応する「２」をダイヤルする。
【００６４】
ＳＳＣ２では、セッション制御機能部１２は、電話機９から「２」を受信すると、着信時に一時記憶している電話機８の電話番号を、お断りリスト登録部１１に登録する。
【００６５】
続いて、セッション制御機能部１２は、ＭＳ−Ｃ３に登録完了を通知することによって、ＭＳ−Ｃ３に登録完了ガイダンスを要求する。ＭＳ−Ｃ３は、登録完了ガイダンスの要求を受信すると、登録完了ガイダンスを電話機９に送出する。以上の動作によって、電話機８の登録が完了する。
【００６６】
その後、ＳＳＣ２が、電話機８から電話機９への接続要求を着信した場合、着信拒否機能部１３は、お断りリスト登録部１１に、着信電話番号、すなわち、電話機８の電話番号が登録されているか否かを照合する。
【００６７】
お断りリスト登録部１１に、電話機８の電話番号が登録されている場合、着信拒否機能部１３は、電話機８と電話機９とのセッションを確立する動作を中止し、電話機９が属するグループについて、迷惑電話拒否回数をカウントして記憶し、ＭＳ−Ｇ４に、お断りガイダンスを要求する。
【００６８】
ＭＳ−Ｇ４は、お断りガイダンスの要求を受け付けると、発信者の電話機８に対し、セッション制御機能部１２を経由し、お断りガイダンスを送出する。
【００６９】
発信者の電話機８は、お断りガイダンスを出力し、通話が終了する。
【００７０】
また、電話機９は、お断りリスト登録部１１に登録されている全ての登録電話番号の一括解除と、最新登録電話番号の削除をすることができる。
【００７１】
契約者は、電話機９を操作して「１４４」をダイヤルすることで、迷惑電話拒否設定ガイダンスを確認する。
【００７２】
新しい登録電話番号から順番に一つずつ解除する場合は、契約者は、電話機９を操作して、最新登録番号解除に対応する「３」をダイヤルする。
【００７３】
また、お断りリスト登録部１１に登録されている全ての電話番号を一括解除する場合は、契約者は、電話機９を操作して一括解除に対応する「９」をダイヤルする。例えば、一括解除に対応する「９」がダイヤルされると、「登録電話番号の一括削除が完了しました。」というガイダンスが、ＭＳ−Ｃ３からＳＳＣ２を経由して電話機９に提供され、解除完了となる。
【００７４】
また、電話機９は、お断りリスト登録部１１に登録されている電話番号に対し、２ヶ月分の着信拒否回数を確認することができる。
【００７５】
ＳＳＣ２内の効果確認機能部１４は、電話機９から効果確認の要求を受信すると、着信拒否機能部１３から、電話機９が属するグループについて、先月と今月との２ヶ月分の迷惑電話拒否回数を取得する。
【００７６】
効果確認機能部１４は、先月と今月との２ヶ月分の迷惑電話拒否回数を、ＭＳ−Ｃ３に送出する。
【００７７】
ＭＳ−Ｃ３は、先月と今月との２ヶ月分の迷惑電話拒否回数を受け付けると、先月と今月との迷惑電話拒否回数を表すガイダンスを、電話機９に送出する。このため、電話機９は、迷惑電話拒否回数を確認することができる。
【００７８】
次に、通信システムの動作を詳細に説明する。
【００７９】
（１．お断りリスト登録部１１への電話番号の登録動作）
図２は、お断りリスト登録部１１への電話番号の登録動作時に機能する主な構成要素を示したブロック図である。図２において、図１に示したものと同一構成のものには同一符号を付してある。
【００８０】
図２を参照して、お断りリスト登録部１１への電話番号の登録動作を説明する。
【００８１】
契約者が、電話機９で電話機８から迷惑電話を受けた直後、電話機９を操作して、特番「１４４」をダイヤルすると、通信システムから、「迷惑電話お断りサービスの設定を行えます。迷惑電話リストへの登録は「２」、最新登録番号の削除は「３」、登録番号一括削除は「９」、効果の確認をするときは「４」を押してください。」という迷惑電話拒否設定ガイダンスが、電話機９に送出される。
【００８２】
契約者は、そのガイダンスに従って、電話機９を操作して、登録の「２」をダイヤルすると、お断りリスト登録部１１への電話番号の登録を完了する。
【００８３】
次に、お断りリスト登録部１１への電話番号の登録動作を詳細に説明する。
【００８４】
ＳＳＣ２では、セッション制御機能部１２が、電話機９から、特番「１４４」のダイヤルに対応する登録の接続要求を着信すると、ＭＳ−Ｃ３に登録の接続要求を送信する。
【００８５】
ＭＳ−Ｃ３は、登録の接続要求を着信すると、その応答を、セッション制御機能部１２を経由して、電話機９に送信し、その後、迷惑電話拒否設定ガイダンスを、電話機９に送出する。
【００８６】
その後、ＭＳ−Ｃ３は、電話機９から、登録の「２」をダイヤルに対応する登録要求を着信すると、その登録要求を、セッション制御機能部１２に送信する。
【００８７】
セッション制御機能部１２は、その登録要求を着信すると、事前に一時記憶していた接続要求のヘッダ部に付与されている電話機８の電話番号を、お断りリスト登録部１１に登録し、登録完了をＭＳ−Ｃ３に通知する。
【００８８】
ＭＳ−Ｃ３は、登録完了を着信すると、電話機９に対し、「迷惑電話リストの登録を完了しました」というガイダンスを送出する。
【００８９】
契約者は、電話機９からの登録完了ガイダンスを確認し、通話を終了する。
【００９０】
迷惑電話拒否サービスを契約した電話機だけが、着信拒否したい電話番号を、お断りリスト登録部１１に登録可能である。
【００９１】
契約者がお断りリスト登録部１１に登録できる着信拒否の電話番号の数は、例えば、最大３０件である。
【００９２】
例えば、登録件数が最大登録件数の３０件になっている状況で、契約者が通話終了後、お断りリスト登録部１１に新たな電話番号の登録を行おうとした際、ＳＳＣ２は、電話機９を介して、契約者に、「最も古いものを削除し、ただいまの電話番号を登録します」というガイダンスを提供し、契約者が承知した場合に、最も古い拒否登録の電話番号を削除する。
【００９３】
なお、最大登録件数は、３０に限らず適宜変更可能である。
【００９４】
また、着信が転送呼の場合には、着信拒否の電話番号を登録可能な電話番号は、転送先の電話番号でなく、発信者の電話番号とする。
【００９５】
図３は、複数の着信呼情報の登録可否条件の例を示す図である。
【００９６】
ＳＳＣ２のセッション制御機能部１２は、例えば、電話機Ａと電話機Ｂと電話機Ｃとが着信し、お互いが通話中の場合、１呼目の電話機Ａが通話を終了し、電話機Ａを登録可能な着信呼有効期限の６０秒間内に２呼目の電話機Ｂが通話中のときは、電話機Ａの登録を行える。
【００９７】
しかし、電話機Ａが他の電話機よりも先に通話終了して電話機Ａを登録可能な状況で、電話機Ｂが通話を、電話機Ａを登録可能な着信呼有効期限の６０秒のうちで終了した場合は、電話機Ａの着信呼有効期限が短くなり、電話機Ａを登録できないことがあり、また、電話機Ａと電話機Ｂの両方とも登録することができない期間がありえる。
【００９８】
電話機Ａの着信呼有効期限６０秒間が過ぎると、電話機Ｂの登録は可能となる。
【００９９】
本実施形態では、登録可能な時間の着信呼有効期限は、６０秒以内に限られている。なお、着信呼有効期限は、６０秒に限らず適宜変更可能である。
【０１００】
３呼目の電話機Ｃは、通話終了が最後となり、電話機Ａと電話機Ｂとのそれぞれが着信呼有効期限６０秒を過ぎてから登録対象となるので、登録が可能である。
【０１０１】
なお、電話機Ａと電話機Ｂとが登録不可の場合は、「迷惑電話登録に失敗しました」というガイダンスが送出される。
【０１０２】
契約者は、契約申込の際に、電話番号単位の契約か、あるいは、契約回線単位の契約かのいずれかを選択することができる。
【０１０３】
ＳＳＣ２のお断りリストの提供形態は、個別リストと共有リストとの２形態があり、電話番号あるいは契約回線毎にサービスオーダーにより指定される。
【０１０４】
ＳＳＣ２内のお断りリスト登録部１１には、各契約者が登録した個別リストと共有リストとが管理されている。
【０１０５】
図４は、個別リストの一例を示した説明図である。
【０１０６】
個別リストは、着信拒否対象の電話番号を、契約電話番号（契約者の電話の電話番号）ごとに管理している。
【０１０７】
例えば、図４に示された個別リストは、Ａ契約電話番号、Ｂ契約電話番号、Ｃ契約電話番号と、契約電話番号単位で管理されている。セッション制御機能部１２が、Ａ契約電話番号に対応づけられている０４４−５３３−・・・・から着信したとき、Ａ契約電話番号への着信が拒否される。
【０１０８】
Ａ契約者電話番号について、３０件まで着信拒否対象の電話番号を登録することができる。
【０１０９】
共有リストは、契約回線単位での契約であり、同一契約配下の電話機に対して、着信拒否対象の全電話番号が共有されて管理されている。
【０１１０】
例えば、Ａ契約者が回線契約（例えば、Ａ電話機とＢ電話機とＣ電話機についてまとめて契約）した場合、着信拒否登録している発信元電話番号からＡ電話機に着信があったときには、Ａ電話機とＢ電話機とＣ電話機とが全て、着信拒否することができる。
【０１１１】
図５は、契約者が、着信拒否する電話番号を登録するシーケンスを説明するためのシーケンス図である。
【０１１２】
電話機８が、ＰＳＴＮ−ＧＷ６経由で、ＳＳＣ２に接続要求を送信すると（ステップＳ１）、ＳＳＣ２は、電話機８の電話番号を一時記憶し、ＮＡＴ５およびＴＡ１０経由で、電話機９に接続要求を送信する（ステップＳ２）。
【０１１３】
電話機９は、電話機８からの接続要求を受信すると、ＴＡ１０、ＮＡＴ５、ＳＳＣ２およびＰＳＴＮ−ＧＷ６経由で、電話機８に応答を送信し、電話機８と電話機９とのセッションが確立され、電話機８と電話機９との間で音声データが通信され、その後、通話が終了する（ステップＳ３）。
【０１１４】
契約者は、電話機８からの電話が迷惑電話であると判断すると、迷惑電話を受けた直後に、電話機９を操作して、電話機８の電話番号をお断りリスト登録部１１に登録する（ステップＳ４）。
【０１１５】
本実施形態では、契約者は、電話機９を操作して「１４４」をダイヤルすると（ステップＳ５）、ＳＳＣ２は、「１４４」の接続要求を受信する。ＳＳＣ２は、「１４４」の接続要求を受信すると、ＭＳ−Ｃ３に登録の接続要求を送信する。ＳＳＣ２は、その後、ＭＳ−Ｃ３から登録の接続要求の応答を受信すると、電話機９にその応答を送信する（ステップＳ６）。
【０１１６】
その後、ＭＳ−Ｃ３が、迷惑電話拒否設定ガイダンスを、電話機９に送出する（ステップＳ７）。
【０１１７】
続いて、契約者は、迷惑電話拒否設定ガイダンスに従って電話機９を操作して、登録番号「２」をダイヤルすると、電話機９は、ＭＳ−Ｃ３経由で、ＳＳＣ２に登録要求を送信する（ステップＳ８）。
【０１１８】
ＳＳＣ２は、登録要求を受信すると、一時記憶している電話機８の電話番号を、お断りリスト登録部１１に登録し、ＭＳ−Ｃ３に、迷惑電話拒否の登録完了を送出する（ステップＳ９）。
【０１１９】
ＭＳ−Ｃ３は、迷惑電話拒否の登録完了を受信すると、登録完了ガイダンスを、電話機９に送出する（ステップＳ１０）。
【０１２０】
電話機９は、登録完了ガイダンスを出力し、その後、通話が終了し、通話終了が、ＳＳＣ２およびＭＳ−Ｃ３に送出される（ステップＳ１１）。
【０１２１】
（２．電話機８からの着信の拒否動作）
図６は、電話機８からの着信を拒否するときに機能する主な構成要素を示したブロック図である。図６において、図１に示したものと同一構成のものには同一符号を付してある。
【０１２２】
図６を参照して、電話機８からの着信を拒否する動作を説明する。
【０１２３】
ＳＳＣ２内のセッション制御機能部１２は、電話機８から接続要求を受信すると、着信拒否機能部１３に接続の確認を依頼する。
【０１２４】
着信拒否機能部１３は、接続の確認を依頼されると、お断りリスト登録部１１に、電話機８の電話番号が登録されているかを確認する。
【０１２５】
お断りリスト登録部１１に、電話機８の電話番号が登録されている場合、着信拒否機能部１３は、電話機８と電話機９とのセッションを確立する動作を中止し、電話機９が属するグループについて、迷惑電話拒否回数をカウントし、また、セッション制御機能部１２経由で、ＭＳ−Ｇ４に、お断りガイダンスを要求する。
【０１２６】
ＭＳ−Ｇ４は、お断りガイダンスの要求を受信すると、「この電話はお受けできません。ご承知ください。」というお断りガイダンスを、セッション制御機能部１２経由で、電話機８に送出する。お断りガイダンスは、例えば、２回繰り返した後で切れる。
【０１２７】
発信者は、電話機８からのお断りガイダンスを確認し、受話器をおいて通話終了となる。
【０１２８】
図７は、ＳＳＣ２が、お断りリスト登録部１１に登録されている電話番号を有する電話機から着信したときに、その電話機からの着信を拒否するシーケンスを説明するためのシーケンス図である。
【０１２９】
発信者が、電話機８から、ＰＳＴＮ−ＧＷ６経由で、ＳＳＣ２に、電話機９への接続要求を送信すると（ステップＳ２１）、ＳＳＣ２は、接続要求に記載されている電話機８の電話番号を一時記憶し、お断りリスト登録部１１に、電話機８の電話番号が登録されているか否かを照合する。
【０１３０】
お断りリスト登録部１１に、電話機８の電話番号が登録されている場合には、着信拒否機能部１３は、電話機８と電話機９とのセッションを確立する動作を中止し、セッション制御機能部１２経由で、ＭＳ−Ｇ４に、お断りガイダンスの接続要求を送信する（ステップＳ２２）。
【０１３１】
ＭＳ−Ｇ４は、お断りガイダンスの接続要求を着信すると、ＳＳＣ２およびＰＳＴＮ−ＧＷ６経由で、電話機８に応答し、お断りガイダンスを、ＳＳＣ２およびＰＳＴＮ−ＧＷ６経由で、電話機８に送出する（ステップＳ２３）。
【０１３２】
ＳＳＣ２は、電話機９が属するグループについて迷惑電話拒否回数をカウントする（ステップＳ２４）。
【０１３３】
発信者は、電話機８からのお断りガイダンスを確認し、受話器をおくことで、通話終了が、ＳＳＣ２とＭＳ−Ｇ４に送出される（ステップＳ２５）。
【０１３４】
（３．迷惑電話拒否回数の効果確認動作）
迷惑電話拒否回数の効果確認は、契約者に対する着信呼がＳＳＣ２で拒否された回数を月毎にカウントし、カスコン（ダイヤル「１４４」＋「４」）からの効果確認に対し応答するものである。
【０１３５】
本実施形態において、迷惑拒否の効果確認における迷惑電話拒否回数の管理、および、応答の方針は、以下の通りである。
【０１３６】
（１）迷惑電話拒否回数は、お断りリストの提供単位で、今月分と先月分の月毎（２ヶ月分）に管理する。
【０１３７】
（２）今月分は、今月１日の０時から効果測定実施時間までの着信拒否回数とし、前月分は、前月１日の０時から末日の２４時までの着信拒否回数とする。
【０１３８】
（３）先月分の迷惑電話拒否回数が未設定、または、リセットされている場合には、今月分のみ応答する。
【０１３９】
（４）応答対象の迷惑電話拒否回数は、発信者の電話機の電話番号にて接続されるお断りリストの迷惑電話拒否回数とする。
【０１４０】
（５）迷惑電話拒否サービスの契約変更、および、リスト形態の変更の場合は、迷惑電話拒否回数をリセットする。
【０１４１】
（６）効果確認の機能開始当初は、先月分の迷惑電話拒否回数は未設定とする。
【０１４２】
（７）カスコン向けの効果確認の場合のみ、着信拒否回数が１００回以上の場合は、「１００回以上」とガイダンスする。
【０１４３】
（８）カスコン向けの迷惑電話拒否回数の更新頻度は、リアルタイムとする。
【０１４４】
（９）迷惑電話拒否回数のガイダンスでは、今月分と先月分との２ヶ月分の迷惑電話拒否回数をガイダンスする。
【０１４５】
図８は、迷惑電話拒否回数の効果確認時に機能する主な構成要素を示したブロック図である。図８において、図１に示したものと同一構成のものには同一符号を付してある。
【０１４６】
図８を参照して、迷惑電話拒否回数の効果確認動作を説明する。
【０１４７】
契約者は、電話機９を操作して、登録電話番号（例えば、電話機９の電話番号）の迷惑電話拒否回数の効果確認に対応する「４」をダイヤルし、ＳＳＣ２内のセッション制御機能部１２に効果確認用の接続要求を送信する。
【０１４８】
セッション制御機能部１２は、効果確認用の接続要求を受信すると、ＭＳ−Ｃ３に、効果確認用の接続要求を送信する。
【０１４９】
ＭＳ−Ｃ３は、効果確認用の接続要求を受信すると、セッション制御機能部１２経由で、効果確認機能部１４に、迷惑電話拒否回数の取得要求を送信する。
【０１５０】
効果確認機能部１４は、迷惑電話拒否回数の取得要求を受信すると、着信拒否機能部１３から、電話機９が属するグループについて、２ヶ月分の迷惑電話拒否回数を取得する。
【０１５１】
効果確認機能部１４は、２ヶ月分の迷惑電話拒否回数を、セッション制御機能部１２経由で、ＭＳ−Ｃ３に送出する。
【０１５２】
ＭＳ−Ｃ３は、迷惑電話拒否回数を受信すると、「今月メッセージ応答した回数は○○回です。前月メッセージ応答した回数は○○回です。」というガイダンスを、セッション制御機能部１２経由で、電話機９に送出する。
【０１５３】
契約者は、電話機９からのガイダンスを聞くことによって、迷惑電話拒否登録している電話番号（例えば、電話機９の電話番号）についての迷惑電話拒否回数を確認することができる。
【０１５４】
図９は、迷惑電話拒否回数の効果を確認するシーケンスを説明するためのシーケンス図である。
【０１５５】
契約者が、迷惑電話拒否の登録をしている電話番号（例えば、電話機９の電話番号）についての迷惑電話拒否回数の効果確認をする場合は、電話機９の受話器をあげて「１４４」をダイヤルし、ＳＳＣ２に、登録の接続要求を送信する（ステップＳ３１）。
【０１５６】
ＳＳＣ２は、登録の接続要求を受信すると、ＭＳ−Ｃ３に登録の接続要求を送信し、ＭＳ−Ｃ３が、その登録の接続要求に応答する（ステップＳ３２）。
【０１５７】
続いて、ＳＳＣ２は、ＮＡＴ５およびＴＡ１０経由で、電話機９に応答し（ステップＳ３３）、続いて、ＭＳ−Ｃ３は、電話機９に、迷惑電話拒否設定ガイダンスを送出する（ステップＳ３４）。
【０１５８】
電話機９が、「効果確認をするときは「４」を押してください」というガイダンスを出力すると、契約者は、電話機９を操作して番号「４」をダイヤルし、ＭＳ−Ｃ３経由で、ＳＳＣ２へ、迷惑電話拒否回数の要求が送信される（ステップＳ３５）。
【０１５９】
ＳＳＣ２内の効果確認機能部１４は、迷惑電話拒否回数の要求を受けて、着信拒否機能部１３から、電話機９が属するグループへの迷惑電話の拒否回数を取得し、その迷惑電話拒否回数を、ＭＳ−Ｃ３に送出する（ステップＳ３６）。
【０１６０】
ＭＳ−Ｃ３は、迷惑電話拒否着信回数を受信すると、迷惑電話拒否回数のガイダンスを、電話機９に送出する（ステップＳ３７）。
【０１６１】
契約者は、電話機９からの２ヶ月分の迷惑電話回数を確認後、通話終了することで、ＴＡ１０、ＮＡＴ５、ＳＳＣ２、ＭＳ−Ｃ３に通話終了が送出される（ステップＳ３８）。
【０１６２】
次に、本実施形態の効果を説明する。
【０１６３】
契約者は、金融取引や投資など迷惑な勧誘セールスや無言のいやがらせ電話などの迷惑電話の着信を、セッション制御が必要な電話機で受けたとき、簡単な操作で、迷惑電話の発信元の電話番号を迷惑電話拒否サービスに登録することで、その後、同一電話番号からの迷惑電話の着信を拒否することができる。このため、契約者は、精神的に電話対応に安心できる。
【０１６４】
近年、社会的に問題になっているいたずら電話や、「おれおれ」など犯罪電話など迷惑電話防止を図ることができ、本サービスの普及により、いたずらや犯罪電話を少なくすることが可能になる。
【０１６５】
契約者は、着信を拒否する電話番号の登録を例えば３０件することができ、かつ、削除も可能なので、複数の電話機からの迷惑電話を適切に拒否することが可能になる。
【０１６６】
本実施形態にて実現される迷惑電話拒否サービスを複数のユーザが利用することで、通信サービス事業者は収益を得ることができる。
【０１６７】
本実施形態によれば、セッション制御部１５は、電話機８から電話機９への接続要求を受信した状況で、接続要求に記載の電話機８の電話番号が、お断りリスト登録部１１に記憶されている場合、電話機８と電話機９とのセッションを確立する動作を中止する。
【０１６８】
つまり、接続要求に記載の電話機８の電話番号が、お断りリスト登録部１１に記憶されている場合、セッション制御部１５は、電話機８と電話機９とのセッションを確立しない。
【０１６９】
このため、セッション制御を有するデータ通信において、電話機８から電話機９への迷惑電話、換言すると、接続拒否端末（電話機８）との接続を防止することが可能になる。よって、本実施形態によれば、セッション制御を有するデータ通信において、接続拒否端末との接続を拒否するサービスを実現することが可能になる。
【０１７０】
本実施形態では、セッション制御部１５は、電話機８から電話機９への接続要求を受信した状況で、接続要求に記載の電話機８の電話番号が、お断りリスト登録部１１に記憶されていない場合、電話機８と電話機９とのセッションを確立して、電話機８と電話機９との間のデータ通信を許容する。
【０１７１】
このため、接続要求に記載の電話機８の電話番号が、お断りリスト登録部１１に記憶されていない場合には、電話機８と電話機９は、音声データ等のデータ通信を行うことができる。
【０１７２】
本実施形態では、セッション制御部１５は、電話機９とのセッションの確立を中止した中止回数をカウントし、効果確認機能部１４は、電話機９末に、その中止回数を通知する。
【０１７３】
この場合、着信を拒否した効果を、電話機９に通知することが可能になる。
【０１７４】
本実施形態では、お断りリスト登録部１１は、予め定められた電話機のグループごとに、グループに対応づけて、そのグループ内の電話機が接続を拒否する電話機の電話番号を記憶する。セッション制御部１５は、電話機８から複数の電話機のいずれかである電話機９への接続要求を受信した状況で、接続要求に記載の電話機８の電話番号が、電話機９が属するグループに対応づけられてお断りリスト登録部１１に記憶されている場合には、電話機８と電話機９とのセッションを確立する動作を中止する。
【０１７５】
この場合、１つのグループに１台の電話機のみが属する際には、電話機ごとに、着信を拒否する電話番号を設定することが可能になる。一方、１つのグループに複数台の電話機が属する際には、複数の電話機に対して、着信を拒否する電話番号を簡単に設定することが可能になる。
【０１７６】
本実施形態では、セッション制御部１５は、電話機８から複数の電話機のいずれかである電話機９への接続要求を受信した状況で、接続要求に記載の電話機８の電話番号が、電話機９が属するグループに対応づけられてお断りリスト登録部１１に記憶されていない場合には、電話機８と電話機９とのセッションを確立して、電話機８と電話機９との間のデータ通信を許容する。
【０１７７】
この場合、接続要求に記載の電話機８の電話番号が、電話機９が属するグループに対応づけられてお断りリスト登録部１１に記憶されていない場合には、電話機８と電話機９は、音声データ等のデータ通信を行うことができる。
【０１７８】
本実施形態では、セッション制御部１５は、グループごとに、セッションの確立を中止した中止回数をカウントする。効果確認機能部１４は、電話機９に、電話機９が属するグループにおいてカウントされた中止回数を通知する。
【０１７９】
この場合、着信を拒否した効果を、電話機９に通知することが可能になる。
【０１８０】
次に、本発明の他の実施形態を説明する。
【０１８１】
図１０は、本発明の他の実施形態の通信システムを示すブロック図である。なお、図１０において、図１に示したものと同一構成のものには同一符号を付してある。
【０１８２】
図１０に示した通信システムが、図１に示した通信システムと異なる点は、ＰＳＴＮ−ＧＷ６の代わりに、ＰＳＴＮ−ＧＷ６Ａを含む点であり、特には、ＰＳＴＮ−ＧＷ６Ａも着信拒否機能を有する点である。
【０１８３】
ＰＳＴＮ−ＧＷ６Ａは、ゲートウェイ装置またはゲートウェイ手段の一例である。ＰＳＴＮ−ＧＷ６Ａは、ＰＳＴＮ−ＧＷ６が有する機能を有し、さらに、着信拒否機能部１３Ａを有する。
【０１８４】
着信拒否機能部１３Ａは、ＳＳＣ２内のお断りリスト登録部１１に記憶されているリストを取得する。着信拒否機能部１３Ａは、お断りリスト登録部１１からリストを通知されることによって、リストを取得してもよく、お断りリスト登録部１１にアクセスすることによって、リストを取得してもよい。
【０１８５】
着信拒否機能部１３Ａは、ＰＳＴＮ７に接続している電話機８からＮＧＮ１に接続している電話機９への接続要求を受信した状況で、接続要求に記載の電話機８の電話番号が、お断りリスト登録部１１内のリストに記憶されている場合には、電話機８へ、話中を意味する音、ビジートーン、エラーメッセージ、または、着信拒否のガイダンスを送出して、電話機８と電話機９とのセッションを確立する動作を中止する。
【０１８６】
また、ＰＳＴＮ７に接続している電話機８からＮＧＮ１に接続している電話機９への接続要求を受信した状況で、接続要求に記載の電話機８の電話番号が、お断りリスト登録部１１内のリストに記憶されていない場合には、着信拒否機能部１３Ａは、その接続要求を、セッション制御部１５に送信する。
【０１８７】
この場合、ＳＳＣ２だけでなく、ＰＳＴＮ−ＧＷ６も、迷惑電話、換言すると、接続拒否端末との接続を防止する動作を行うため、ＳＳＣ２の負荷を軽くすることが可能になる。
【０１８８】
以上説明した各実施形態において、図示した構成は単なる一例であって、本発明はその構成に限定されるものではない。
【０１８９】
例えば、発信側端末および着信側端末は、電話機能またはデータ通信機能を有する情報処理装置（例えば、パーソナルコンピュータ）でもよい。
【０１９０】
また、発信側端末および着信側端末の間で通信されるデータは、音声データに限らず、適宜変更可能である。例えば、発信側端末および着信側端末の間で通信されるデータは、映像データ、テキストデータ、または、複数種類のデータ（例えば、音声データと映像データ、映像データとテキストデータ、音声データとテキストデータ、または、音声データと映像データとテキストデータ）でもよい。
【０１９１】
発信側端末および着信側端末として、例えば、テレビ電話機が用いられる場合、端末間で通信されるデータは、例えば、音声データと映像データの両方となる。
【０１９２】
また、ＳＳＣ２は、ＣＤ−ＲＯＭ、ハードディスクまたはメモリに記録されたプログラムに従って動作するコンピュータによって実現されてもよい。ＣＤ−ＲＯＭ、ハードディスクまたはメモリは、一般的に、コンピュータにて読み取り可能な記録媒体と呼ぶことができる。
【０１９３】
この場合、コンピュータは、そのプログラムを記録媒体から読み取り実行することによって、お断りリスト登録部１１、セッション制御機能部１２、着信拒否機能部１３、および、効果確認機能部１４として機能し、ＳＳＣ２を実現する。
【図面の簡単な説明】
【０１９４】
【図１】本発明の一実施形態の迷惑電話拒否システムを示すブロック図である。
【図２】お断りリスト登録部１１への電話番号の登録動作時に機能する主な構成要素を示したブロック図である。
【図３】複数の着信呼情報の登録可否条件の例を示す図である。
【図４】個別リストの一例を示した説明図である。
【図５】契約者が着信拒否する電話番号を登録するシーケンスを説明するためのシーケンス図である。
【図６】電話機８からの着信を拒否するときに機能する主な構成要素を示したブロック図である。
【図７】ＳＳＣ２が、お断りリスト登録部１１に登録されている電話番号を有する電話機から着信したときに、その電話機からの着信を拒否するシーケンスを説明するためのシーケンス図である。
【図８】迷惑電話拒否回数の効果確認時に機能する主な構成要素を示したブロック図である。
【図９】迷惑電話拒否回数の効果を確認するシーケンスを説明するためのシーケンス図である。
【図１０】本発明の他の実施形態の迷惑電話拒否システムを示すブロック図である。
【符号の説明】
【０１９５】
１      ＮＧＮ
２      ＳＳＣ
３      ＭＳ−Ｃ
４      ＭＳ−Ｇ
５      ＮＡＴ
６、６Ａ  ＰＳＴＮ−ＧＷ
７      ＰＳＴＮ
８、９  電話機
１０      ＴＡ
１１      お断りリスト登録部
１２      セッション制御機能部
１３、１３Ａ  着信拒否機能部
１４      効果確認機能部
１５      セッション制御部
【図１】
2010147645.tif 000003
【図２】
2010147645.tif 000004
【図３】
2010147645.tif 000005
【図４】
2010147645.tif 000006
【図５】
2010147645.tif 000007
【図６】
2010147645.tif 000008
【図７】
2010147645.tif 000009
【図８】
2010147645.tif 000010
【図９】
2010147645.tif 000011
【図１０】
2010147645.tif 000012